(57)【要約】【課題】  短冊状に折りたたんで蛇腹状の排気フイルタを、集塵室と送風駆動部とを前後に配置した電気掃除機本体に、集塵性能を向上しつつコンパクトな形態を備えた電気掃除機を提供する。【解決手段】  集塵ユニット１１を内蔵した集塵室１０と送風駆動部２１を備えた機械室２０とを前後に配置した電気掃除機本体１を備え、この電気掃除機本体１は、背面の上部に前記機械室２０を包むように形成した湾曲形状の傾斜面４１を形成し、この傾斜面４１に湾曲形状の収納空間を備えた排気フイルタ収納部６０を形成し、この排気フイルタ収納部６０に複数の短冊状に折りたたんで構成される排気フイルタ７０を、その折れ線７１が縦姿勢と成る配置で収納するようにする。【選択図】  図１
2008279085.tif 000002
【特許請求の範囲】
【請求項１】
集塵ユニットを内蔵した集塵室と、送風駆動部を備えた機械室とを前後に配置した電気掃除機本体を備えた電気掃除機において、
この電気掃除機本体の背面の上部に前記機械室を包むように形成した湾曲形状の傾斜面を形成し、
この傾斜面に湾曲形状の収納空間を備えた排気フイルタ収納部を形成し、
この排気フイルタ収納部に複数の短冊状に折りたたんで構成される排気フイルタを、その折れ線が縦姿勢と成る配置で収納した
ことを特徴とする電気掃除機。
【請求項２】
前記排気フイルタは、複数の折れ線が、上辺側の間隔より下辺側の間隔が広くなるように扇形状に形成されている
ことを特徴とする請求項１記載の電気掃除機
【請求項３】
前記送風駆動部は、仕切りカバーによって前記機械室内で仕切られ、前記仕切りカバーは、その下部に前記送風駆動部内の空気を排出する通風口が設けられ、
前記仕切りカバーと前記機械室の背面壁とで前記通風口と前記排気フイルタ収納部とを連通する通風路が形成される
ことを特徴とする請求項１または請求項２記載の電気掃除機。
【請求項４】
前記送風駆動部の上部に電気基板を水平な姿勢で配置し、前記排気フイルタ収納部は、前記電気基板と前記送風駆動部の後部を包むように形成される
ことを特徴とする請求項１から３記載の何れかの電気掃除機。
【発明の詳細な説明】
【技術分野】
【０００１】
本発明は、排気フイルタを備えた電気掃除機に関するものである。
【背景技術】
【０００２】
近年、部屋内に存在するダニの死骸や花粉などの微細な塵埃が問題視され、部屋内からこれら微細な塵埃を除去したいとの要望が高まっている。これら利用者のニーズに対応して、空気清浄機や空気清浄機能を備えた家庭電化製品が増えている。
【０００３】
電気掃除機の分野においても、高い補塵性能と抗アレルゲン・抗菌・脱臭などの機能をもつ複数のフイルタを内蔵して、排気される空気をきれいにする製品が実施されている。これらの微細な塵埃を除去する排気フイルタとして、空気中に含まれる微粒子（０．３ミクロン以下の粒子）を９９．９％以上捕捉できるＨＥＰＡフィルタ（High Efficiency Particulate Air Filter）が普及している。
【０００４】
このＨＥＰＡフイルタは、積層された複数のフイルタを短冊状に折りたたんで蛇腹状で厚みのある平板状やリング状とし、これを枠体で補強するものが一般的である。
【０００５】
例えば、特開２００２−３０６３８０号では、掃除機本体の背面にＨＥＰＡフイルタを配して、排気の塵埃を除去するものが提案されている。また、特開２００７−２９２１６号の従来例では、掃除機本体の後方の上部にＨＥＰＡフイルタを着脱可能に設けたものが提案されている。更に、特開平１−２８８２２５の従来例では、リング状の周囲にＨＥＰＡフィルタを配置したフイルタユニットを掃除機本体の上部に設けて、リング状の中央から排気される排気をリング状の周囲のＨＥＰＡフィルタから排気するようにした提案もなされている。
【０００６】
【特許文献１】特開２００２−３０６３８０号の公報
【特許文献２】特開２００７−２９２１６号の公報
【特許文献３】特開平１−２８８２２５の公報
【発明の開示】
【発明が解決しようとする課題】
【０００７】
電気掃除機は、部屋内の隅々まで掃除する観点から、コンパクトであることが望まれる。例えば、一般家庭に広く普及している電気掃除機は、車輪を備えた電気掃除機本体と、この電気掃除機本体に一端を取り付けられる吸引ホースと、この吸引ホースの他端に取り付けられる手元ハンドル部と、この手元ハンドルに一端を取り付けられる伸縮可能な連結管と、この連結管の他端に取り付けられる塵埃を吸い込む吸口部とから構成される。また、電気掃除機本体は、集塵室と送風駆動部とを前後に配置し、送風駆動部の両側に配置した一対の車輪と、集塵室の底面部に配置した自在車輪とを備えることで、前記手元ハンドルを介して部屋内の移動を可能とするとともに、集塵室に取り付けられる吸引ホースから塵埃を含んだ空気を取り込んで、この集塵室に設けた集塵ユニットで塵埃を取り除き、この塵埃が取り除かれた空気を送風駆動部に取り込んで、これを冷却し、電気掃除機本体の外へ排気する構造を備えている。
【０００８】
このような広く普及した電気掃除機に前記ＨＥＰＡフイルタのような高い補塵性能を有する排気フイルタを設ける場合は、集塵性能を考慮しつつ電気掃除機本体のコンパクトな形態を阻害しないように配慮しなければならない。特に、ＨＥＰＡフイルタのような高い補塵性能を有する排気フイルタは、短冊状の折りたたんだ構造を備えているために、折りたたんだ折線と平行な方向に曲げることはできるもの、折線方向には変形することができない制約を備えている。したがって、電気掃除機にこの排気フイルタを採用する場合は、前記制約を考慮して配置しなければならない。
【０００９】
例えば、前記第１の従来例では、電気掃除機本体の背面に排気フイルタを備えることで、広い面積を備えた平板状の排気フイルタの配置スペースを確保している。しかしながら、この第１の従来例では、電気掃除機本体の背面部分を平坦面としなければならないため、広い面積の排気フイルタを設けると電気掃除機本体の背面部分が大きくなったり、あるいは形態が角張ったりする課題を備えている。特に、この従来例の場合は、このような角張った形態に丸みを付けると、デッドスペースが大きくなり、コンパクトな形態とすることができない。
【００１０】
また、前記第２の従来例では、排気フイルタの折り目方向に屈折した形態で、掃除機本体の後方の上部に着脱可能に配置しているために、電気掃除機本体の上面後端部を、排気フイルタの屈折形状に合わせてカットすることができるので、電気掃除機本体の側面方向から見た形態をコンパクトにできる。しかしながら、この配置構造では、排気フイルタの折れ線方向を電気掃除機本体の左右方向としているために、正面方向からみた両肩部を小さくすると広い排気フイルタを内蔵できない課題がある。
【００１１】
また、前記第３の従来例は、送風駆動部と集塵室とを上下に配置した構造としているため、集塵室と送風駆動部とを前後に配置した電気掃除機本体には、そのまま採用することができない。
【００１２】
本発明は、前記課題を解決するためになされたものであり、その目的は、短冊状に折りたたんで蛇腹状の排気フイルタを、集塵室と送風駆動部とを前後に配置した電気掃除機本体に、集塵性能を向上しつつコンパクトな形態を備えた電気掃除機を提供することにある。
【課題を解決するための手段】
【００１３】
前記目的を達成するために本発明に係る電気掃除機は、集塵ユニットを内蔵した集塵室と送風駆動部を備えた機械室とを前後に配置した電気掃除機本体を備え、この電気掃除機本体は、背面の上部に前記機械室を包むように形成した湾曲形状の傾斜面を形成し、この傾斜面に湾曲形状の収納空間を備えた排気フイルタ収納部を形成し、この排気フイルタ収納部に複数の短冊状に折りたたんで構成される排気フイルタを、その折れ線が縦姿勢と成る配置で収納するようにする。
【発明の効果】
【００１４】
本発明によれば、送風駆動部を包むように短冊状に折りたたんだ蛇腹状の排気フイルタを配置できるので、集塵性能を向上しつつコンパクトな形態を備えた電気掃除機を提供することができる。
【発明を実施するための最良の形態】
【００１５】
以下、図１から図８を参照して、この発明に係る実施の形態を詳細に説明する。なお、同一の機能や部位は同一符号を持って示し、重複した説明は省略する。
【００１６】
また、図１を参照して、この実施の形態に係る電気掃除機の概略構造を説明する。図１は、電気掃除機本体の概略構成図であり、電気掃除機本体の後方から見た外観斜視図と、吹き出し内には電気掃除機本体の概略断面図を図示している。
【００１７】
先ず、この実施の形態に係る電気掃除機は、符号１で総括的に示す電気掃除機本体と、この電気掃除機本体１に一端を取り付けられる図示しない吸引ホースと、この吸引ホースの他端に取り付けられる図示しない手元ハンドル部と、この手元ハンドルにその一端を取り付けられる伸縮可能な図示しない連結管と、この連結管の他端に取り付けられる塵埃を吸い込む図示しない吸口部とから構成される。
【００１８】
また、この電気掃除機本体１は、集塵室１０と送風駆動部２１とコードリール装置２２（図５参照）とを収納した機械室２０を前後に配置し、機械室２０の両側に配置した一対の車輪３０と、集塵室１０の底面部に配置した自在車輪３１とを備えることで、前記手元ハンドルを介して部屋内の移動を可能とするとともに、集塵室１０に取り付けられる吸引ホースから塵埃を含んだ空気を取り込んで、この集塵室１０に設けた集塵ユニット１１で塵埃を取り除き、この塵埃が取り除かれた空気を送風駆動部２１に取り込んで、これを冷却し、電気掃除機本体１の外へ排気する構造を備えている。
【００１９】
そして、この実施の形態に係る電気掃除機本体１の大きな特徴の１つは、機械室２０を包むように、電気掃除機本体１の背面から両側面に掛けて形成される丸みのある外装部４０に、この外装部４０の丸み形状に合わせて湾曲した排気フイルタ収納部６０を形成し、この排気フイルタ収納部６０に、その折りたたんだ折れ線７１が縦位置となる姿勢で排気フイルタ７０を収納させた点にある。この実施の形態では、排気フイルタ７０をＨＥＰＡフイルタ（High Efficiency Particulate Air Filter）などの複数のフイルタを積層して成る集塵フイルタを複数の短冊状に折りたたんで構成されるものを採用する。
【００２０】
この構造によれば、機械室２０を包むように形成される外装体４０の丸みのある形状に合わせて湾曲した排気フイルタ収納部６０を形成するので、大きな面積を備えた排気フイルタ収納部６０を形成しても、その存在により、電気掃除機本体１の丸みのあるコンパクトな形状を阻害することなく排気フイルタ収納部６０を形成することができる。
【００２１】
また、この実施の形態では、短冊状に折りたたんで構成される排気フイルタ７０の折れ線７１を縦姿勢（上下方向）とすることにより、排気フイルタ７０を湾曲した排気フイルタ収納部６０に無理なく収納することができる。
【００２２】
また、この実施の形態の他の大きな特徴の１つは、前記排気フイルタ収納部６０を、電気掃除機本体１の背面上部に形成される傾斜面４１に形成し、この排気フイルタ収納部６０に折れ線７１が前方に傾斜した縦姿勢の排気フイルタ７０を収納した点にある。
【００２３】
この構造によれば、機械室２０をコンパクトに包むように形成した外装体４０の背面上方の傾斜面４１に、この外装体４０の丸みのある形態に合わせて湾曲した排気フイルタ収納部６０を形成するので、大きな面積を備えた排気フイルタ収納部６０を形成しても、その存在により、電気掃除機本体１を側面から見ても正面方向から見ても丸みのあるコンパクトな形状を阻害することなく排気フイルタ収納部６０を形成することができる。
【００２４】
また、この実施の形態の他の大きな特徴の１つは、前記排気フイルタ収納部６０を、電気掃除機本体１の背面上部に形成される円弧面（湾曲した傾斜面４１）を形成し、この排気フイルタ収納部６０に折れ線７１が前方に傾斜し、かつ、各折れ線が下方に向かって開いた円錐台の周側面の形状の排気フイルタ７０を収納した点にある。
【００２５】
この構造によれば、機械室２０をコンパクトに包む丸みのある外装部４０に、この外装部４０の背面上方から両側の下方に向かって大きな面積を占める排気フイルタ収納部６０を形成することができる。しかも、この背面上方から両側の下方に向かって形成される位置は、排気フイルタ収納部６０が上辺より下辺が開いた扇形状と成るが、このような形状であっても、前記姿勢の排気フイルタ７０であれば、下辺の長さＬ２を上辺の長さＬ１より長くすることで前記扇形状の排気フイルタ収納部６０に無理なく収めることができる。
【００２６】
また、前記姿勢の排気フイルタであれば、製造時は矩形状で成型し、収納時に下辺を上辺より開くことで扇形状とすることができるので、成型時の歩留まりを向上して、コストを抑えることができる。
【００２７】
また、この実施の形態の他の大きな特徴とするところは、排気フイルタ収納部６０を電気掃除機本体１の背面の上方位置に配置し、しかも、排気フイルタ収納部６０の外装面６１に形成した排気口６２を傾斜面６３とすることで、排気を後方の斜め上方に向かって吹き上げることができるから、排気時に床面に存在する塵埃を巻上げるのを軽減するとともに、利用者の足元に直接排気があたるのを軽減することができる。
【００２８】
また、この実施の形態の他の大きな特徴の１つは、送風駆動部２１を他の機械室２０内の装置と区分けする仕切りカバー２３で包み、この仕切りカバー２３の下部に通風口２４を設けることにより、送風駆動部２１内に取り込まれた空気が、この送風駆動部２１を冷却した後で、下部に設けた通風口２４内に排出され、この排出された空気は、機械室２０の上方の排気フイルタ７０を通過して排気されるので、機械室２０内の排気通路２５を長くすることができる。この構造によれば、機械室２０内の排気通路２５を長くすることで、送風駆動部２１から発生する音が装置外に伝わる通路を長くすることができるので、騒音を軽減することができる。
【００２９】
また、この実施の形態の他の特徴の１つは、排気フイルタ収納部６０を外装部４０に形成した凹部４２と、この凹部４２に着脱可能に取り付けられる排気カバー４３とで構成した点にある。この構造によれば、排気フイルタ７０を排気孔４２ａを備えた凹部４２に装着した後に排気口６２を備えた排気カバー４３をネジなどを介して取り付ければ、排気フイルタ７０の交換が容易である。また、排気カバー４３を別部材とすることができるので、色彩や素材を外装部４０と違わせることができるので、意匠性を向上させることができる。
【００３０】
また、この実施の形態の他の特徴の１つは、送風駆動部２１の上方に板状の電気基板８０を水平な姿勢で配置し、この電気基板８０の後方に排気フイルタ収納部６０を配置し、送風駆動部２１の後方に、この送風駆動部２１の下端部に形成した通風口２４と排気フイルタ収納部６０とを連通する排気通路２５を形成し、前記排気フイルタ収納部６０を前記電気基板８０と送風駆動部２１とを包むように湾曲した形状とし、この湾曲した形状の排気フイルタ収納部６０に折れ線７１を縦姿勢とする排気フイルタ７０を配置した点にある。この配置構成によれば、騒音を低減することができるとともに、排気が直接利用者に当たるのを軽減することができ、しかも、歩留まりのよい広い面積の排気フイルタ７０を収めたコンパクトな電気掃除機本体１とすることができる。
【００３１】
以下、図２から図８を参照して、この実施の形態に係る電気掃除機本体１を更に詳細に説明する。ここで、図２は、電気掃除機本体の外観図であり、（ａ）図が正面図、（ｂ）図が上面図、（ｃ）図が側面図である。図３は電気掃除機本体の斜視図であり、（ａ）図が後方斜視図、（ｂ）図が排気カバー４３を取り外した状態の後方斜視図である。図４は、電気掃除機本体の中央縦断面図である。図５は、電気掃除機本体の水平断面図であり、（ａ）図が送風駆動部近傍の水平断面図、（ｂ）図が電気基板近傍の水平断面図である。図６は排気フイルタの外観図であり、（ａ）図が平面図、（ｂ）図が正面図である。図７は排気フイルタの製造工程を示す説明図であり、（ａ）図が排気フイルタの切り抜き工程の説明図、（ｂ）図が切り抜いた排気フイルタの正面図、（ｃ）図が最終形態の排気フイルタの正面図を示している。図８は、電気掃除機本体の排気状態を示す説明図であり、（ａ）図は通常の水平設置の側面図、（ｂ）図は縦姿勢の側面図である。
【００３２】
先ず、図２を参照して、電気掃除機本体１の外観構造を説明する。図２において、この実施の形態に係る電気掃除機本体１は、後方の丸み形状より前方の丸み形状が小さい横姿勢の卵形状を基調とした形状を採用している。そして、この卵形状を基調とした電気掃除機本体１の具体的な形状は、図２の（ａ）図に示すように横に幅の広い形状を備え、かつ、（ｂ）図に示すように、前方に向かって絞り込まれた形状であって、（ｃ）図に示すように上面が前方に向かって傾斜した前のめりの形状を備えている。
【００３３】
この電気掃除機本体１の外装部４０は、一対の車輪３０と自在車輪３１を備えた下ケース４４とこの下ケース４４の上方を覆う上ケース４５とから構成される。この下ケース４４と上ケース４５とは最外周に形成されるバンパ部４６によって分割されている。
【００３４】
前のめり形成された電気掃除機本体１の正面の中央には、前記吸引ホースの一端が取り付けられるホース取付部４７が設けられ、その下方の底面部には凹状のサブハンドル５５が設けられている。また、上ケース４５の前部には、後端部を回転軸として開放可能な集塵室蓋４８が設けられ、この集塵室蓋４８を開放する開閉スイッチ４９がホース取付部４７の上部に設けられている。
【００３５】
上ケース４５の後方には、コードリールの巻取スイッチ５０を備えた操作パネル５１が設けられている。この操作パネル５１は、電気基板８０の上方に位置しているため、必要により運転状況ランプなどを設けるように設計変更することが容易にできる。
【００３６】
また、上ケース４５の後端部には、前記操作パネル５１を外周を包むように形成される主ハンドル５２が設けられている。この主ハンドル５２は、Ｕ型の外観を備えており、前方の一対の端部を回転軸として、後端部を引き起こして使用することができる。このため、主ハンドル５２の後端部と上ケース４５との間には指を挿入する隙間が形成されている。
【００３７】
また、主ハンドル５２の下方には、排気フイルタ収納部６０の外周を覆う排気カバー４３が設けられている。この排気カバー４３は円錐台の周側面と近似するような傾斜する円弧形状の外装面６１を備え、この外装面６１に設けた排気口６２から排気を斜め上方に向かってワイドに排気することができる。
【００３８】
また、排気カバー４３の下方となる背面中央には、突起部５３が設けられ、この突起部５３と前記一対の車輪３とで、図８（ｂ）図に示すように、背面を床面に向けた縦姿勢で設置することができる。更に、突起部５３の片側には、コードを引き出すためのコードリール穴５４が形成されている。
【００３９】
また、この実施の形態では、主たる排気を前記排気口６２から行うが、補助的に、一対の車輪３０の近傍から排気することができる。このため、一対の車輪３０にはリング状のサブ排気口３２が設けられている。
【００４０】
そして、図３に示すように、この実施の形態では、前記上ケース４５に背面の上端部から斜め下方前方に向かって両側に回り込んだ凹部４２を形成し、この凹部４２に複数の排気孔４２ａを設けている。この凹部４２は、排気口６２を備えた排気カバー４３でその外側を覆うことで排気フイルタ収納部６０を構成する。排気フイルタ収納部６０は、円錐台の周側面に近似する扇形状の前記排気フイルタ７０を着脱可能に収納することができる。
【００４１】
次に、図４及び図５を参照して電気掃除機本体１の内部構造を説明する。先ず、図５の（ａ）図に示すように、この実施の形態では、平面からみて、電気掃除機本体１の前部に前方が円弧形状の半円形状の収納空間を備えた集塵室１０が設置され、その後方に左右方向（図面上、上下方向）に長い長方形状の機械室２０が配置される。
【００４２】
前記集塵室１０には、図示しない使い捨て紙集塵袋またはサイクロン方式の集塵ユニット１１を収納することができる。この実施の形態では、サイクロン方式の集塵ユニット１１を採用した事例で説明している。この集塵ユニット１１は、前部のケースにて大きな塵埃を捕獲して、後部の蛇腹状の集塵フイルタにて細かな塵埃を捕獲することができる。
【００４３】
一方、機械室２０は、前部のフアン部と後部の駆動部とからなる送風駆動部２１と、回転軸を左右方向とするコードリール装置２２とを左右に配置した配置構造を取っている。送風駆動部２１は、その周囲を他の機械室２０の装置と分離するように仕切りカバー２３によってカバーされている。そして、図５（ａ）図及び図４に示すように、送風駆動部２１はその周囲を駆動部用消音材２６で保護されて前記仕切りカバー２３内に収められている。
【００４４】
前記仕切りカバー２３の下端部には通風口２４が設けられているため、前記仕切りカバー２３の周囲には電気掃除機本体１の背面上部に配置される排気フイルタ収納部６０に排気を導くための排気通路２５が形成される。
【００４５】
即ち、集塵ユニット１１で集塵された空気は、機械室２０に設けた送風駆動部２１の前部から取り込まれ、送風駆動部２１内の後部に設けた駆動部を冷却した後、前記通風口２４から機械室２０の下端部に排出される。この排出された空気は、電気掃除機本体１の背面壁と仕切りカバー２３の背面壁とで形成される排気通路２５に沿って前記排気フイルタ収納部６０に導かれる。ここで、前記駆動部から発生するモータ音は、前記駆動部用消音材２６で軽減されるとともに、電気掃除機本体１の背面壁に設けられる機械室消音材２７により低減されて前記排気フイルタ収納部６０に導かれる。
【００４６】
前記排気フイルタ収納部６０に導かれた空気は、この排気フイルタ収納部６０に扇形状に収められた排気フイルタ７０により、細かな塵埃が捕獲され、排気口６２から斜め上方に向かってワイドに排気される。なお、機械室２０に排出された空気の一部は、前記コードリール装置２２を冷却した後、前記車輪３０に設けた前記サブ排気口３２から排気される。
【００４７】
また、図５の（ｂ）図に示すように、この実施の形態では、送風駆動部２１を覆う仕切りカバー２３を前記上ケース４５と下ケース４４とで保持し、この仕切りカバー２３の上面に電気基板８０を取り付ける基板配置部２８を設けている。仕切りカバー２３は、正面からみた断面形状が円形の前記駆動部を覆うために、その外観も、正面からみて上方がすぼまった形状を備えている。このため、このすぼまった形状の仕切りカバー２３の上端に形成される基板配置部２８は電気掃除機本体１の左右方向の中央より形成されている。
【００４８】
この構造によれば、前記基板配置部２８の後端部を、前記排気フイルタ収納部６０の内側に形成される面積Ｑ内に配置することができるので、丸みを備えた電気掃除機本体１の上部の外装部４０内に電気基板８０を収めることができる。更に、コードリール装置２２もまた、その回転軸を電気掃除機本体１の左右方向に配置する姿勢で機械室２０内に配置されているので、コードリール装置２２の円弧形状の上部は、その近傍に内側に絞り込まれる円弧形状の排気フイルタ収納部６０を配置しても、コードリール装置２２が邪魔をすることがない。したがって、この構造によれば、電気掃除機本体１のコンパクトな外観に影響を与えることなく、その外装部４０の内部に内装品を配置することができる。
【００４９】
次に、排気フイルタ７０の構造について、図６及び図７を参照して更に説明する。図６は、この実施の形態で採用する排気フイルタ７０の外観構造を示したものである。図において、この実施の形態では、細い短冊状に折りたたまれたシート状のフイルタを、弧状の上辺の長さＬ１が弧状の下辺の長さＬ２より短くなるように扇方形状に形成している。しかも各折りたたみの折れ線７１の延長線Ｐ１は、中心点Ｐに略収束するように、上辺の折れ線７１間の長さＬ３が下辺の折れ線７１間の長さＬ４より狭くなるように形成される。
【００５０】
この放射状の折れ線７１の構造によれば、中心点Ｐを中心とする弧状方向Ｐ２の方向に簡単に湾曲させることができるので、丸みのある電気掃除機本体１の上部の形状に排気フイルタ７０を馴染ませて配置することができる。
【００５１】
また、この実施の形態では、排気フイルタ７０を短冊状に折りたたんだ主フイルタ７２と、その背面側に貼り付けたシート状の薄いサブフイルタ７３で構成することで、排気フイルタ７０の着脱時に、その扇形状を維持させて、取扱性を向上させている。しかし、このサブフイルタ７３を設けなくともよい。
【００５２】
なお、７４は、コードリール穴５４を避けるための切欠部である。
【００５３】
次に、図７を参照して、排気フイルタ７０の製造方法を説明する。この実施の形態では、短冊状に折りたたんだ大きなベースシート９０から所定の大きさ（横幅Ｌ１）を備えた排気フイルタ７０を切り取るようにする。この際、この実施の形態に係る排気フイルタ７０は、長方形状の大きさで切り取るようにする。これにより、扇型の排気フイルタ７０Ａを最初から切り取るのに比べて歩留まり良く多くの排気フイルタ７０を切り取ることができる。
【００５４】
そして、この実施の形態では、（ｂ）図に示すように、長方形状に切り取られた排気フイルタ７０の下辺を両側に引っ張るように、あるいは、上辺を内側に縮めるように型どることで、（ｄ）図に示す扇形状を形成することができる。
【００５５】
一方、（ｃ）図に示すように、初めから円弧形状の排気フイルタ７０Ａを切り取った場合は、後処理で扇形状に型どる必要はないが、その折れ線７１Ａは平行な配置となるので、上辺または下辺の円弧形状に合わせて両側に湾曲させることができない。一方、この実施の形態に係る排気フイルタ７０では、折れ線７１が放射状に配置されるので、（ｄ）図に示す弧状方向Ｐ２の方向に湾曲させることができる。
【００５６】
そして、この実施の形態に係る排気フイルタ７０は、扇形状に型どった主フイルタ７２の背面にサブフイルタ７２を貼り付け、その後、切欠部７３を形成することで、排気フイルタ７０を製造することができる。
【００５７】
さて、この実施の形態に係る電気掃除機本体１によれば、図８の（ａ）図に示すように、排気口６２が斜め上方に傾斜した湾曲面に配置されるので、床面９１に存在する塵埃を排気により巻上げることがなく、かつ、その排気が利用者の足元に当たって利用者に不快感を与えるのを軽減することができる。しかも、その排気は両側にワイドに排気されるので、排気量を分散させることができる。
【００５８】
更にまた、この幅の広い前記排気フイルタ７０が配置される、背面の上方の位置は、購入時の店頭で一際目立つ位置であるので、このクリーンな機能を店頭効果でもアピールすることができる。しかも、この特徴的な機能を、本体と別部材の排気カバー４３で覆うことができるので、この排気カバー４３を透明材としたり、あるいは色彩を施すことで、前記店頭効果を一層高めることができる。
【００５９】
また、図８の（ｂ）図に示すように、この電気掃除機本体１の背面上部の傾斜面４１に排気口６２を設けているので、電気掃除機本体１の背面部を床面９１に接するような縦姿勢に設置しても、排気口６２が床面９１によって塞がれるのを軽減することができる。
【図面の簡単な説明】
【００６０】
【図１】電気掃除機本体の概略構成図である。
【図２】電気掃除機本体の外観図である。
【図３】電気掃除機本体の斜視図である。
【図４】電気掃除機本体の中央縦断面図である。
【図５】電気掃除機本体の水平断面図である。
【図６】排気フイルタの外観図である。
【図７】排気フイルタの製造工程を示す説明図である。
【図８】電気掃除機本体の排気状態を示す説明図である。
【符号の説明】
【００６１】
１…電気掃除機本体、１０…集塵室、１１…集塵ユニット、２０…機械室、２１…送風駆動部、２２…コードリール装置、２３…仕切りカバー、２４…通風口、２５…排気通路、２６…駆動部用消音材、２７…機械室消音材、２８…基板配置部、３０…車輪、３１…自在車輪、３２…サブ排気口、４０…外装部、４１…傾斜面、４２…凹部、４２ａ…排気孔、４３…排気カバー、４４…下ケース、４５…上ケース、４６…バンパ部、４７…ホース取付部、４８…集塵室蓋、４９…開閉スイッチ、５０…巻取スイッチ、５１…操作パネル、５２…主ハンドル、５３…突起部、５４…コードリール穴、５５…サブハンドル、６０…排気フイルタ収納部、６１…外装面、６２…排気口、６３…傾斜面、７０…排気フイルタ、７１…折れ線、７２…主フイルタ、７２…サブフイルタ、７３…切欠部、８０…電気基板、
Ｌ１…上辺の長さ、Ｌ２…下辺の長さ。
【図１】
2008279085.tif 000003
【図２】
2008279085.tif 000004
【図３】
2008279085.tif 000005
【図４】
2008279085.tif 000006
【図５】
2008279085.tif 000007
【図６】
2008279085.tif 000008
【図７】
2008279085.tif 000009
【図８】
2008279085.tif 000010